(57)【要約】【課題】負荷電線の不完全な接続状態での通電を防止し安全性を向上できる分岐ブレーカを提供することである。【解決手段】電源が供給される電源接続部１３と負荷電線が接続される負荷接続部１５との間の回路を遮断可能に接続する回路遮断部１４とを筐体１２に収納して形成され、開状態のときには負荷接続部１５に接続される負荷電線を挿入するための電線挿入口２２への負荷電線の挿脱を可能とし、閉状態のときには電線挿入口２２に挿入された負荷電線を固定する操作レバー２４と、電線挿入口２２に負荷電線が挿入されていないときは、回路遮断部１４の開閉操作を行うハンドル１８をロックし、電線挿入口２２に負荷電線が正常に挿入されたときはハンドル１８のロックを解除するロック機構２６とを備える。【選択図】図１
2010153148.tif 000002
【特許請求の範囲】
【請求項１】
電源が供給される電源接続部と、負荷電線が接続される負荷接続部と、前記電源接続部と前記負荷接続部との間の回路を遮断可能に接続する回路遮断部とを収納した筐体と；
前記筐体に設けられ前記回路遮断部の開閉操作を行うハンドルと；
前記筐体に設けられ前記負荷接続部に接続される負荷電線を挿入するための電線挿入口と；
開状態のときに前記電線挿入口への負荷電線の挿脱を可能とし、閉状態のときに前記電線挿入口に挿入された負荷電線を固定するための操作レバーと；
前記電線挿入口に負荷電線が挿入されていないときは前記ハンドルをロックし、前記電線挿入口に負荷電線が正常に挿入されたときは前記ハンドルのロックを解除する第１のロック機構と；
を備えたことを特徴とする分岐ブレーカ。
【請求項２】
前記操作レバーが開状態のときには前記ハンドルをロックし、前記操作レバーが閉状態のときには前記ハンドルのロックを解除する第２のロック機構を備えたことを特徴とする請求項１記載の分岐ブレーカ。
【発明の詳細な説明】
【技術分野】
【０００１】
本発明は、例えば、単相三線式の分電盤に取り付けられる分岐ブレーカに関する。
【背景技術】
【０００２】
例えば、単相三線式の分電盤に用いられる分岐ブレーカとして、負荷側の電線接続を容易かつ確実にすべく、負荷電線をネジ無しで接続するＳＬ端子に負荷電線を挿入するための電線挿入口を有したものがある（例えば、特許文献１）。
【０００３】
このような分岐ブレーカでは、操作レバーを上げることで筐体内部のＳＬ端子が接続可能な状態に変形し、電線挿入口に挿入した負荷電線をＳＬ端子に接続することができる。そして、操作レバーを下げることでＳＬ端子が変形前の状態に戻り、ＳＬ端子が負荷電線に接続されるとともにＳＬ端子の一部が負荷電線に係合し、負荷電線が抜けることを防止する。
【０００４】
しかしながら、負荷電線が電線挿入口の奥まで挿入されているか否かにかかわらず、操作レバーの操作は可能であるため、負荷電線が奥まで挿入されることなく操作レバーが下げられて使用されることがある。
【０００５】
この場合には、負荷電線が電線挿入口から外れ、またはＳＬ端子と負荷電線とが接触不良の状態で使用されることがあり、電線挿入口近傍で発火等の事故が発生する可能性がある。
【０００６】
そこで、このような負荷電線の挿入不良を使用者に告知するために筐体に表示レバーを設けておき、負荷電線が電線挿入口の奥まで挿入されると、表示レバーが筐体から突出して負荷電線の挿入状態を示すものがある。
【０００７】
これは、分岐ブレーカの施工時に表示レバーが筐体から突出していることを確認することで負荷電線の挿入状態を確認し、負荷電線の挿入不足のまま（負荷電線の接続が不十分のまま）で分岐ブレーカが使用されないように工夫しているものである。
【特許文献１】特開２００３−３１１０２号公報
【発明の開示】
【発明が解決しようとする課題】
【０００８】
しかし、分岐ブレーカの施工時に表示レバーの状態の未確認により、表示レバーが筐体から突出していない状態（負荷電線の挿入不足状態）で、回路遮断部を閉じて使用する場合があり、負荷電線の接続部において発火等の事故が発生する可能性がある。
【０００９】
また、操作レバーを上げた状態で使用すると、ＳＬ端子が負荷電線に確実に係合せずに使用中に電線挿入口から抜けてＳＬ端子と負荷電線とが接触不良の状態となる場合がある。
【００１０】
本発明の目的は、負荷電線の不完全な接続状態での通電を防止し安全性を向上できる分岐ブレーカを提供することである。
【課題を解決するための手段】
【００１１】
請求項１の発明に係わる分岐ブレーカは、電源が供給される電源接続部と、負荷電線が接続される負荷接続部と、前記電源接続部と前記負荷接続部との間の回路を遮断可能に接続する回路遮断部とを収納した筐体と；前記筐体に設けられ前記回路遮断部の開閉操作を行うハンドルと；前記筐体に設けられ前記負荷接続部に接続される負荷電線を挿入するための電線挿入口と；開状態のときに前記電線挿入口への負荷電線の挿脱を可能とし、閉状態のときに前記電線挿入口に挿入された負荷電線を固定するための操作レバーと；前記電線挿入口に負荷電線が挿入されていないときは前記ハンドルをロックし、前記電線挿入口に負荷電線が正常に挿入されたときは前記ハンドルのロックを解除する第１のロック機構と；を備えたことを特徴とする。
【００１２】
本発明及び以下の発明において、用語の定義及び技術的意味は以下による。
【００１３】
分岐ブレーカとは、単相三線式の分電盤に取り付けられる主ブレーカから分岐して配線される電線路に設けられる開閉機器をいう。電源接続部とは、例えば単相三線式の配電線路に接続される端子部をいい、負荷接続部とは負荷電線が接続される端子部をいう。回路遮断部とは過電流時に所定の遮断能力を有した開閉部をいう。ハンドルは回路遮断部の開閉操作を行う操作部であり、手動にて開閉操作が可能であるとともに、所定値以上の過電流時には自動で開状態となる。
【００１４】
電線挿入口とは、負荷電線をネジ無しで接続するＳＬ端子に負荷電線を挿入するための挿入口をいう。操作レバーとは、電線挿入口に挿入された負荷電線を固定するための操作部であり、操作レバーを開状態としたときは電線挿入口への負荷電線の挿脱を可能とし、操作レバーを閉状態としたときは電線挿入口に挿入された負荷電線を固定する。
【００１５】
第１のロック機構とは、電線挿入口に負荷電線が挿入されていないときはハンドルが操作できないようにハンドルをロックするものをいう。このロック機構は、電線挿入口に負荷電線が正常に挿入された状態ではハンドルのロックを解除する。
【００１６】
第１のロック機構は、例えば、筐体に負荷電線の挿入状態に応じて移動する表示レバーを設けておき、この表示レバーの動作に連動してハンドルをロックするものでもよいし、その他負荷電線が電線挿入口に正常に挿入された状態においてハンドルをロックできる構成であればどのような態様であってもよい。
【００１７】
請求項２の発明に係わる分岐ブレーカは、請求項１の発明において、前記操作レバーが開状態のときには前記ハンドルをロックし、前記操作レバーが閉状態のときには前記ハンドルの第２のロックを解除するロック機構を備えたことを特徴とする。
【００１８】
本発明は、請求項１の発明において、第１のロック機構に加え、操作レバーの開閉による第２のロック機構を設けたものである。操作レバーの開閉によるロック機構は、操作レバーが開状態（電線挿入口に負荷電線の挿入可能状態）のときにはハンドルをロックし、操作レバーが閉状態（負荷電線を固定状態）のときにはハンドルのロックを解除する。
【発明の効果】
【００１９】
請求項１の発明によれば、ロック機構は、電線挿入口に負荷電線が挿入されていないときは、回路遮断部の開閉操作を行うハンドルをロックするので、負荷電線の不完全な接続状態での通電を防止でき安全性を向上できる。
【００２０】
請求項２の発明によれば、請求項１の発明の効果に加え、操作レバーが開状態のときにはハンドルをロックし、操作レバーが閉状態で負荷電線が固定状態となっている場合にハンドルのロックを解除するので、より確実に負荷電線の不完全な接続状態での通電を防止できる。
【発明を実施するための最良の形態】
【００２１】
図１は本発明の実施の形態に係わる分岐ブレーカの構成図である。分岐ブレーカ１１の筐体１２は絶縁性を有する合成樹脂にて形成される。この筐体１２の後側部には、電源が供給される電源接続部１３が収納され、中央部に回路遮断部１４が収納されているとともに、他端部としての前側部に負荷電線が接続される負荷接続部１５が収納されている。回路遮断部１４は、電源接続部１３と負荷接続部１５との間の回路を遮断可能に接続する部分であり、固定接点１６と可動接点１７を有し、ハンドル１８の操作により可動接点１７を固定接点１６に接続したり開放したりする開閉操作が行われる。
【００２２】
ハンドル１８を矢印Ａ方向に操作すると、リンク機構１９により押圧体２０が可動接点１７を押し下げて固定接点１６に接触し、可動接点１７は固定接点１６に接続される。この状態で、ハンドル１８を矢印Ａ方向と逆方向に操作すると、可動接点１７はバネ２１で押し上げられて固定接点１６から離れて非接触となり、可動接点１７は固定接点１６から開放され遮断状態となる。
【００２３】
負荷接続部１５側の筐体１２には、負荷電線を挿入するための電線挿入口２２が設けられ、電線挿入口２２の内部には、負荷接続部１５に負荷電線をネジ無しで接続するためのＳＬ端子２３が設けられている。電線挿入口２２のＳＬ端子２３は操作レバー２４が開状態のときに負荷電線の挿脱を可能とし、操作レバー２４が開状態のときには電線挿入口２２のＳＬ端子２３に挿入された負荷電線を固定する。
【００２４】
表示レバー２５は、電線挿入口２２に負荷電線が正常に挿入されたとき、つまり、ＳＬ端子２３に負荷電線が挿入された状態のときに筐体１２から突出して、電線挿入口２２に負荷電線が正常に挿入されたことを外部に報知するものである。表示レバー２５にはロック機構２６が設けられている。この表示レバー２５に設けられた第１のロック機構２６は、電線挿入口２２に負荷電線が挿入されていないときはハンドル１８をロックし、電線挿入口２２に負荷電線が正常に挿入されたときはハンドル１８のロックを解除する。これにより、電線挿入口２２に負荷電線が正常に挿入されたときに、ハンドル１８の操作が可能となる。
【００２５】
また、ＳＬ端子２３には第２のロック機構２７が設けられている。このＳＬ端子２３に設けられた第２のロック機構２７は、操作レバー２４が開状態のときにはハンドル１８をロックし、操作レバー２４が閉状態のときにはハンドル１８のロックを解除する。すなわち、電線挿入口２２のＳＬ端子２３が負荷電線の挿脱を可能としている状態ではハンドル１８をロックし、電線挿入口２２のＳＬ端子２３に挿入された負荷電線が固定されている状態ではハンドル１８のロックを解除する。これにより、電線挿入口２２のＳＬ端子２３に負荷電線が挿入され固定されている状態のときに、ハンドル１８の操作が可能となる。
【００２６】
図２は、表示レバー２５に設けられた第１のロック機構２６の説明図であり、図２（ａ）はハンドル１８をロックしている場合の平面図、図２（ｂ）はハンドル１８のロックを解除している場合の平面図である。
【００２７】
図２（ａ）に示すように、第１のロック機構２６は、電線挿入口２２に負荷電線が挿入されていないときには、ハンドル１８の係止部２８に当接してハンドル１８をロックしている。この状態では表示レバー２５は筐体１２から突出していない。一方、図２（ｂ）に示すように、電線挿入口２２に負荷電線２９が挿入されたときは、負荷電線２９が表示レバー２５の後端部を押圧することになり、表示レバー２５は軸３０を中心に回動する。これにより、表示レバー２５の先端部が筐体１２から突出して、電線挿入口２２に負荷電線２９が正常に挿入されたことを報知する。また、第１のロック機構２６はハンドル１８の係止部２８から離脱してハンドル１８をロック解除する。
【００２８】
このように、表示レバー２５に設けられた第１のロック機構２６は、電線挿入口２２に負荷電線２８が挿入されていないときは、ハンドル１８をロックするので、負荷電線２８の不完全な接続状態での通電を防止でき、安全性を向上できる。
【００２９】
図３は、ＳＬ端子２３に設けられた第２のロック機構２７の説明図であり、図３（ａ）はハンドル１８をロック解除している場合の平面図、図３（ｂ）はハンドル１８をロックしている場合の平面図である。
【００３０】
図３（ａ）に示すように、第２のロック機構２７は、操作レバー２４が閉状態のとき（横方向に位置するとき）にはハンドル１８をロック解除している。すなわち、ＳＬ端子２３は把持部３１で負荷電線２９の先端部を把持し、操作レバー２４が横方向に位置するときは、操作レバー２４からの押圧力を受けないので、負荷電線２８の先端部を当接部３２に当接させ負荷電線２９を固定している。この状態では、第２のロック機構２７は、ハンドル１８の係止部２８から離脱しておりハンドル１８のロックを解除した状態である。従って、ハンドル１８の開閉操作が可能な状態である。
【００３１】
一方、図３（ｂ）に示すように、操作レバー２４が開状態のとき（縦方向に位置するとき）にはハンドル１８をロックしている。すなわち、ＳＬ端子２３は把持部３１で負荷電線２９の先端部を把持し、操作レバー２４が縦方向に位置するときは、操作レバー２４からの押圧力を受けているので、ＳＬ端子２３は下方に押し込まれる。これにより、ＳＬ端子２３の把持部３１で把持された負荷電線２８の先端部は、当接部３２から離脱し負荷電線２９の固定が解除される。この状態では、第２のロック機構２７は、ハンドル１８の係止部２８から係合しておりハンドル１８のロックをした状態である。従って、ハンドル１８の開閉操作が阻止された状態となる。
【００３２】
このように、操作レバー２４が開状態のときにはハンドル１８をロックし、操作レバー２４が閉状態で負荷電線２９が固定状態となっている場合にハンドル１８のロックを解除するので、より確実に負荷電線２９の不完全な接続状態での通電を防止できる。
【００３３】
以上の説明では、表示レバー２５に設けられたロック機構２６及びＳＬ端子２３に設けられた第２のロック機構２７の双方を有した場合について説明したが、いずれか一方を省略するようにしてもよい。
【図面の簡単な説明】
【００３４】
【図１】本発明の実施の形態に係わる分岐ブレーカの構成図。
【図２】本発明の実施の形態における表示レバーに設けられたロック機構の説明図。
【図３】本発明の実施の形態にＳＬ端子に設けられたロック機構の説明図。
【符号の説明】
【００３５】
１１…分岐ブレーカ、１２…筐体、１３…電源接続部、１４…回路遮断部、１５…負荷接続部、１６…固定接点、１７…可動接点、１８…ハンドル、１９…リンク機構、２０…押圧体、２１…バネ、２２…電線挿入口、２３…ＳＬ端子、２４…操作レバー、２５…表示レバー、２６…第１のロック機構、２７…第２のロック機構、２８…係止部、２９…負荷電線、３０…軸、３１…把持部、３２…当接部
【図１】
2010153148.tif 000003
【図２】
2010153148.tif 000004
【図３】
2010153148.tif 000005